(57)【特許請求の範囲】
【請求項１】
回転子が収容される回転子収容部を有する固定子鉄心が収容されたインナーフレームと、このインナーフレームの外側に設けられたアウターフレームとを組み立てるとき又は分解するときに用いられるものであって、直立状の支持部と、この支持部にほぼ水平状態にかつ片持ち支持され上記固定子鉄心の回転子収容部を介して上記インナーフレームを支持可能にされた支持ビームとを備えた回転電機の組み立て分解補助装置。
【請求項２】
支持ビームは、柱状であって軸方向と直交する方向の断面積が所定値にされた本体部と、この本体部の一方の端部に設けられ上記軸方向と直交する方向の断面積が上記本体部の断面積よりも大きくされた段付き部とを有し、上記段付き部が支持部に片持ち支持されたものであることを特徴とする請求項１に記載の回転電機の組み立て分解補助装置。
【請求項３】
支持ビームは、柱状の本体部とこの本体部の一方の端部側の外周部に設けられた端部補強部材とを有し、上記本体部及び上記端部補強部材が支持部に片持ち支持されたものであることを特徴とする請求項１に記載の回転電機の組み立て分解補助装置。
【請求項４】
支持ビームは、断面外形が円環状、三角形又は矩形であって中空の中空部材であることを特徴とする請求項１に記載の回転電機の組み立て分解補助装置。
【請求項５】
支持部は、一方の側に支持ビームが片持ち支持され他方の側に補強用の背面補強部が設けられた板状の直立部材であることを特徴とする請求項１に記載の回転電機の組み立て分解補助装置。
【請求項６】
支持部は、断面形状が矩形又は三角形であって中空の直立柱状中空部材であることを特徴とする請求項１に記載の回転電機の組み立て分解補助装置。
【請求項７】
支持部は、床面に固定される床面固定部を有するものであることを特徴とする請求項１に記載の回転電機の組み立て分解補助装置。
【請求項８】
支持部は、建築物の支持構造部材と兼用されたものであることを特徴とする請求項１に記載の回転電機の組み立て分解補助装置。
【請求項９】
支持ビームの両側にアウターフレームを支持案内する架台が設けられたものであり、この架台により支持部が倒れないように支持したものであることを特徴とする請求項１に記載の回転電機の組み立て分解補助装置。
【発明の詳細な説明】
【０００１】
【発明の属する技術分野】
この発明は、固定子鉄心を収容したインナーフレームとアウターフレームとを組み立て分解するために用いられる回転電機の組み立て分解補助装置に関する。
【０００２】
【従来の技術】
図１３は、インナーフレームをアウターフレーム内に挿入するための従来の方法を示す説明図である。図１３において、鋼板表面に低摩擦シートを敷いたものである挿入用レール１８を、アウターフレーム２内に置く。そして、固定鉄心を収めたインナーフレーム１の先端部（図１３における右方）を挿入用フレーム１８上に乗せ、インナーフレーム１の後方をワイヤ１９で吊りながら、別のワイヤ２０にて引っ張りインナーフレーム１を挿入用レール１８上を滑らせることにより、アウターフレーム２内に挿入していた。また、分解するときは、上記と逆の手順をとっていた。
【０００３】
【発明が解決しようとする課題】
上記のような従来の方法では、ワイヤ２０にてインナーフレーム１を引っ張り挿入用レール１８上を滑らせることにより、アウターフレーム２内に挿入していたので、インナーフレーム１が挿入用レール１８と擦れ、低摩擦シートを損傷し、金属粉などの異物が発生することがあった。また、ワイヤ２０で引っ張る作業は不安定であり、挿入途中にインナーフレーム１がアウターフレーム２にぶつかることがないように、慎重に作業を進めなければならなかった。
【０００４】
さらに、アウターフレーム２とインナーフレーム１との結合が行われる度に、挿入レール１８の設置などに時間と労力を要していた。また、挿入には十分に長い挿入用レール１８が必要となる。このため、インナーフレーム１の長さや重量が増加すると、必然的に挿入用レール１８の撓み量が大きくなり、挿入は一段と困難を伴うものであった。
【０００５】
この発明は、上記のような問題点を解決して、回転電機のインナーフレームとアウターフレームとの組み立て分解を容易に行うことができる回転電機の組み立て分解補助装置を得ることを目的とする。
【０００６】
【課題を解決するための手段】
上記目的を達成するために、本発明の回転電機の組み立て分解補助装置においては、回転子が収容される回転子収容部を有する固定子鉄心が収容されたインナーフレームと、このインナーフレームの外側に設けられたアウターフレームとを組み立てるとき又は分解するときに用いられるものであって、直立状の支持部と、この支持部にほぼ水平状態にかつ片持ち支持され固定子鉄心の回転子収容部を介してインナーフレームを支持可能にされた支持ビームとを備えたものである。支持ビームは片持ちで支持されているので、インナーフレームを支持ビームに容易に挿入して支持させることができ、またこの支持ビームに支持されたインナーフレームにアウターフレームを挿脱できるので、組み立て分解を容易に行うことができる。
【０００７】
そして、支持ビームは、柱状であって軸方向と直交する方向の断面積が所定値にされた本体部と、この本体部の一方の端部に設けられ軸方向と直交する方向の断面積が本体部の断面積よりも大きくされた段付き部とを有し、段付き部が支持部に片持ち支持されたものであることを特徴とする。
段付き部の方が本体部よりも強度が高いので、支持ビームの撓みによる傾きを軽減することができ、インナーフレームをより傾きの少ない状態で支持できるので、アウターフレームの挿脱が容易になる。
【０００８】
さらに、支持ビームは、柱状の本体部とこの本体部の一方の端部側の外周部に設けられた端部補強部材とを有し、本体部及び端部補強部材が支持部に片持ち支持されたものであることを特徴とする。
端部補強部材により、支持ビームの撓みによる傾きを軽減することができる。
【０００９】
また、支持ビームは、断面外形が円環状、三角形又は矩形であって中空の中空部材であることを特徴とする。
中空部材を使用すれば、重量を軽減できるし、断面が円環状の中空部材は板を曲げ加工して製作でき溶接部が少ないので製作が容易であり、三角形又は矩形のものは所定寸法の板を溶接して製作でき板厚の制約を受けにくいので、板厚を厚くして強度を高くし、撓みを少なくすることができ、インナーフレームをより傾きの少ない状態で支持できるので、アウターフレームの挿脱が容易になる。
【００１０】
そして、支持部は、一方の側に支持ビームが片持ち支持され他方の側に補強用の背面補強部が設けられた板状の直立部材であることを特徴とする。
補強用の背面補強部により直立部材の倒れを軽減し、支持ビームの傾きを少なくすることができる。
【００１１】
さらに、支持部は、断面形状が矩形又は三角形であって中空の直立柱状中空部材であることを特徴とする。
直立柱状部材とすることにより、重量増加を抑制しつつ直立柱状部材の倒れを軽減し、支持ビームの傾きを少なくすることができる。
【００１２】
また、支持部は、床面に固定される床面固定部を有するものであることを特徴とする。
床面固定部により床面に固定できるので、構成が簡易となり、安価にできる。
【００１３】
そして、支持部は、建築物の支持構造部材と兼用されたものであることを特徴とする。
支持部を建築物の支持構造部材と兼用すれば、安価になる。
【００１４】
さらに、支持ビームの両側にアウターフレームを支持案内する架台が設けられたものであり、この架台により支持部が倒れないように支持したものであることを特徴とする。
架台は、アウターフレームを支持案内するので、アウターフレームをインナーフレームに容易に挿脱することができ、また支持部の倒れを防止し、支持ビームの傾きを少なくする。
【００１５】
【発明の実施の形態】
実施の形態１．
図１〜図３は、この発明の実施の一形態を示すものであり、図１は、インナーフレーム及びアウターフレームの斜視図、図２は組み立て分解補助装置の斜視図、図３はインナーフレームの挿入作業を説明するための説明図である。まず、図１に示すように、作業が完了した時点では、回転電機のインナーフレーム１がアウターフレーム２に挿入されている。なお、インナーフレーム１に固定子鉄心１２が収容されている。固定子鉄心１２は、内面が円筒状であって回転子を収容する回転子収容部１２ａを有する。
【００１６】
図２において、組み立て分解補助装置１０は次のように構成されている。インナーフレーム１（図１、図３参照）を支持する中空円柱状の支持ビーム３の端部が、支持部としての背板４にほぼ水平に片持ちで溶接支持されている。また、支持ビーム３の両側に平行して架台５が設けられている。この架台５は、背板４に固着されており、アウターフレーム２をインナーフレーム１に挿入するときにアウターフレーム２を支持するとともに案内し、また支持ビーム３がインナーフレーム１を支持したときの背板４の倒れを軽減する。
【００１７】
次に、組み立て分解補助装置１０を用いて、インナーフレーム１とアウターフレーム２とを組み立てるときの作業を説明する。まず、インナーフレーム１に収容された回転子収容部１２ａを支持ビーム３に挿入し支持させる。次に、アウターフレーム２にワイヤをかけ、図示しないクレーンで水平に吊り、図３において、すでに支持ビーム３に挿入され支持されているインナーフレーム１の右端部近傍まで移動させる。
【００１８】
架台５には、前もって図示しない移動用ローラガイドを取り付けておき、このローラガイドにアウターフレーム２の左端部を乗せ、アウターフレーム２を図３の左方に移動させながら、インナーフレーム１に被せる形で挿入していく。必要に応じて、ワイヤで吊るアウターフレーム２の位置を順次右の方へ移動させ吊り変えながら、挿入作業を行う。
【００１９】
以上のように、この組み立て分解補助装置によれば、インナーフレーム１を回転子収容部１２ａを利用して片持ちの支持ビーム３により支持するので、インナーフレーム１を支持ビーム３へ容易に挿入でき、また支持ビーム３にほぼ水平状態に支持されたインナーフレーム１にアウターフレーム２を挿脱するので組み立て分解を容易に行うことができる。
【００２０】
また、架台５がアウターフレーム２を支持案内するとともに背板４の倒れを防止するので支持ビーム３の傾きが軽減されインナーフレーム１をより水平に近い状態で支持できるので、アウターフレーム２のインナーフレーム１への挿脱を容易に行うことができる。
【００２１】
実施の形態２．
図４は、この発明の他の実施の形態である組み立て分解補助装置を示す斜視図である。支持ビーム１３の一方の端部に、中空円筒状の本体部１３ａよりも径の大きい断面円環状の段付き部１３ｂを設け、この段付き部１３ｂを背板４に溶接固定したものである。段付き部１３ｂを設けることにより、支持ビーム１３の撓みを軽減してその水平状態からの傾きを小さくした。これにより、インナーフレーム１をより水平に近い状態に支持でき、アウターフレーム２の挿脱が容易になり、作業性が改善される。
【００２２】
実施の形態３．
図５は、さらにこの発明の他の実施の形態である組み立て分解補助装置を示す斜視図である。支持ビーム２３は、中空円筒状の本体部２３ａの一方の端部側の外周部に放射状に４つの補強板２３ｂが溶接されており、本体部２３ａの一方の端部及び補強板２３ｂを、背板４に溶接固定している。補強板２３ｂは、図５に示すように、背板４に溶接される側を広くし背板４から遠ざかるに従い狭くなる三角形状とすることにより、インナーフレーム１の固定子鉄心１２と干渉しないようにするとともに、支持ビームの剛性２３を高くしている。
【００２３】
このように、補強板２３ｂを配することで支持ビーム２３の撓みを低減し、その水平状態からの傾きを小さくした。これにより、インナーフレーム１をより水平に近い状態に支持でき、アウターフレーム２の挿脱が容易になり、作業性が改善される。中空円筒状の本体部２３ａは、一般的に厚板をローラにて曲げ加工して製作するため、本体部２３ａの肉厚があまり厚いものは製作できない。この実施の形態によれば、支持ビームの中空円筒状の本体部２３ａの肉厚を増加させることなく、支持ビーム２３の撓みを低減できる。また、支持ビーム２３の軽量化を可能にする。
【００２４】
実施の形態４．
図６は、さらにこの発明の他の実施の形態である組み立て分解補助装置を示す斜視図である。支持部１４は、本体部１４ａとこの本体部１４ａの背面側に背面補強部としての箱状の補強部１４ｂが溶接されて、構成されている。その他の構成については、図５に示した実施の形態３と同様のものである。
【００２５】
支持ビーム２３の水平状態からの傾きは、支持ビーム２３の撓みと、支持部１４の倒れによりが発生する。支持部１４の本体部１４ａに箱状の補強部１４ｂを設けることにより、支持部の本体部１４ａの倒れを低減し、支持ビーム２３の傾きを低減することができる。従って、より重いインナーフレームを支持することが可能となる。
【００２６】
実施の形態５．
図７、図８は、さらにこの発明の他の実施の形態を示すものであり、図７は組み立て分解補助装置の斜視図、図８は別の支持部の断面形状を示す断面図である。図７においては、背板の代わりに、中空でかつ断面の外形が矩形の支持柱２４を設け、この支持柱２４に中空円柱状の支持ビーム３を溶接したものである。また、図８（ａ）のような中空で断面の外形が楕円の支持柱３４、図８（ｂ）のような中空で断面の外形が三角形の支持柱４４を用いてもよい。
【００２７】
矩形や三角形などの断面外形を有する中空の支持柱を用いることで、支持柱の倒れを低減することにより、支持ビーム３の傾きを小さくすることができる。なお、図５に示した実施の形態３の補強板２３ｂを有する支持ビーム２３と組み合わせれば、一層支持ビーム２３の傾きを低減でき、より重いインナーフレーム１を支持することも可能になる。
【００２８】
実施の形態６．
図９は、さらにこの発明の他の実施の形態である組み立て分解補助装置を示す斜視図である。図９において、支持ビーム３３は中空でその断面の外形を矩形にしたものである。図２に示した支持ビーム３のように、断面が円形の場合、支持ビーム３は厚板を曲げ加工して製作するために、肉厚をあまり厚くできない。一方、中空で断面矩形の支持ビーム３３の場合は、４枚の平板を溶接して製作されるため、肉厚、すなわち板厚は任意に決めることができ、撓み及び発生応力を低減できる。
【００２９】
実施の形態７．
図１０は、さらにこの発明の他の実施の形態である組み立て分解補助装置を示す斜視図である。図１０において、支持ビーム４３は、中空で、断面形状を三角形にしたものである。中空で三角形断面の支持ビーム４３の場合は、３枚の平板を溶接し製作されるため、肉厚を任意に決めることができ、撓み及び発生応力を低減できる。
【００３０】
実施の形態８．
図１１は、さらにこの発明の他の実施の形態である組み立て分解補助装置を示す斜視図である。図１１において、アウターフレーム２を支持案内する架台（図２参照）を設けず、背板５４に床面固定部５４ａを設け、この床面固定部５４ａを床面１１に支固定したものである。この場合は、アウターフレーム２を支持案内する架台がないので、アウターフレーム２をその軸（長さ）方向の２箇所において、ワイヤを介してクレーンで吊り、背板５４の方へ移動させながら挿入する。架台を省き、床面１１に床面固定部５４ａを固定することにより、組み立て分解補助装置を安価にできる。
【００３１】
実施の形態９．
図１２は、さらにこの発明の他の実施の形態である組み立て分解補助装置を示す斜視図である。図１２において、工場建屋の支持構造物１７に直接支持ビーム３を溶接したものである。この実施の形態によれば、背板及び架台を省き、より安価にすることができる。
【００３２】
【発明の効果】
本発明は、以上説明したように構成されているので、以下に記載されるような効果を奏する。
【００３３】
回転子が収容される回転子収容部を有する固定子鉄心が収容されたインナーフレームと、このインナーフレームの外側に設けられたアウターフレームとを組み立てるとき又は分解するときに用いられるものであって、直立状の支持部と、この支持部にほぼ水平状態にかつ片持ち支持され固定子鉄心の回転子収容部を介してインナーフレームを支持可能にされた支持ビームとを備えたものであるので、支持ビームは片持ちで支持されているので、インナーフレームを支持ビームに容易に挿入し支持させることができ、またこの支持ビームに支持されたインナーフレームにアウターフレームを挿脱できるので、組み立て分解を容易に行うことができる。
【００３４】
そして、支持ビームは、柱状であって軸方向と直交する方向の断面積が所定値にされた本体部と、この本体部の一方の端部に設けられ軸方向と直交する方向の断面積が本体部の断面積よりも大きくされた段付き部とを有し、段付き部が支持部に片持ち支持されたものであることを特徴とするので、
段付き部の方が本体部よりも強度が高いので、支持ビームの撓みによる傾きを軽減することができ、インナーフレームをより傾きの少ない状態で支持できるので、アウターフレームの挿脱が容易で、組み立て分解を容易に行うことができる。
【００３５】
さらに、支持ビームは、柱状の本体部とこの本体部の一方の端部側の外周部に設けられた端部補強部材とを有し、本体部及び端部補強部材が支持部に片持ち支持されたものであることを特徴とするので、
端部補強部材により、支持ビームの撓みによる傾きを軽減することができる。
【００３６】
また、支持ビームは、断面外形が円環状、三角形又は矩形であって中空の中空部材であることを特徴とするので、
中空部材を使用すれば、重量を軽減できるし、断面が円環状の中空部材は板を曲げ加工して製作でき溶接部が少ないので製作が容易であり、三角形又は矩形のものは所定寸法の板を溶接して製作でき板厚の制約を受けにくいので、板厚を厚くして強度を高くし、撓みを少なくすることができ、インナーフレームをより傾きの少ない状態で支持できるので、アウターフレームの挿脱を容易に行うことができる。
【００３７】
そして、支持部は、一方の側に支持ビームが片持ち支持され他方の側に補強用の背面補強部が設けられた板状の直立部材であることを特徴とするので、
補強用の背面補強部により直立部材の倒れを軽減し、支持ビームの傾きを少なくすることができ、インナーフレームをより傾きの少ない状態で支持できるので、アウターフレームの挿脱を容易に行うことができる。
【００３８】
さらに、支持部は、断面形状が矩形又は三角形であって中空の直立柱状中空部材であることを特徴とするので、
直立柱状部材とすることにより、重量増加を抑制しつつ直立柱状部材の倒れを軽減し、支持ビームの傾きを少なくすることができる。
【００３９】
また、支持部は、床面に固定される床面固定部を有するものであることを特徴とするので、
床面固定部により床面に固定できるので、構成が簡易となり、安価にできる。
【００４０】
そして、支持部は、建築物の支持構造部材と兼用されたものであることを特徴とするので、
支持部を建築物の支持構造部材と兼用すれば、安価になる。
【００４１】
さらに、支持ビームの両側にアウターフレームを支持案内する架台が設けられたものであり、この架台により支持部が倒れないように支持したものであることを特徴とするので、
架台は、アウターフレームを支持案内するので、アウターフレームをインナーフレームに容易に挿脱することができ、また支持部の倒れを防止し、支持ビームの傾きを少なくする。
【図面の簡単な説明】
【図１】  この発明の実施の一形態を示すインナーフレーム及びアウターフレームの斜視図である。
【図２】  組み立て分解補助装置の斜視図である。
【図３】  インナーフレームの挿入作業を説明するための説明図である。
【図４】  この発明の他の実施の形態である組み立て分解補助装置を示す斜視図である。
【図５】  さらに、この発明の他の実施の形態である組み立て分解補助装置を示す斜視図である。
【図６】  さらに、この発明の他の実施の形態である組み立て分解補助装置を示す斜視図である。
【図７】  さらに、この発明の他の実施の形態を示すものであり、図７は組み立て分解補助装置の斜視図である。
【図８】  別の支持部の断面形状を示す断面図である。
【図９】  さらに、この発明の他の実施の形態である組み立て分解補助装置を示す斜視図である。
【図１０】  さらに、この発明の他の実施の形態である組み立て分解補助装置を示す斜視図である。
【図１１】  さらに、この発明の他の実施の形態である組み立て分解補助装置を示す斜視図である。
【図１２】  さらに、この発明の他の実施の形態である組み立て分解補助装置を示す斜視図である。
【図１３】  インナーフレームをアウターフレーム内に挿入するための従来の方法を示す説明図である。
【符号の説明】
１  インナーフレーム、２  アウターフレーム、３  支持ビーム、４  背板、
５  架台、１３  支持ビーム、１３ｂ  段付き部、１４  支持部、
１４ｂ  補強部、１７  支持構造物、２３  支持ビーム、２３ｂ  補強板、
２４  支持柱、３３，４３  支持ビーム、３４，４４  支持柱、５４  背板、
５４ａ  床面固定部。
【図１】
0003808337.tif 000002
【図２】
0003808337.tif 000003
【図３】
0003808337.tif 000004
【図４】
0003808337.tif 000005
【図５】
0003808337.tif 000006
【図６】
0003808337.tif 000007
【図７】
0003808337.tif 000008
【図８】
0003808337.tif 000009
【図９】
0003808337.tif 000010
【図１０】
0003808337.tif 000011
【図１１】
0003808337.tif 000012
【図１２】
0003808337.tif 000013
【図１３】
0003808337.tif 000014